(57)【特許請求の範囲】
【請求項１】
左右の光学系と、
ズーム操作部材と、
互いに連結され前記左右の光学系それぞれの光軸周りに回転可能な左右それぞれのズーム駆動部材と、
を有し、前記ズーム操作部材は前記光軸周りから離れた位置において可動に設置され、
前記左右のズーム駆動部材の内の一方が前記ズーム操作部材に非一体的に結合されて連動するとともに、前記左右のズーム駆動部材の内の他方が前記一方のズーム駆動部材から連結部材を介して結合されて連動する事を特徴とする双眼鏡。
【請求項２】
前記連結部材は、眼幅調整軸上を通るように配置されている事を特徴とする請求項１に記載の双眼鏡。
【請求項３】
前記ズーム操作部材は、眼幅調整軸上に配置されている事を特徴とする請求項１又は請求項２に記載の双眼鏡。
【請求項４】
一軸の眼幅調整軸によって眼幅の調整がなされる左右の光学系と、
眼幅調整軸周りに配置されたズーム操作部材と、
互いに連結された左右のズーム駆動部材と、
を有し、前記左右のズーム駆動部材の内の一方が前記ズーム操作部材に非一体的に結合されて連動するとともに、前記左右のズーム駆動部材の内の他方が前記一方のズーム駆動部材から眼幅調整軸上を通る連結部材を介して結合されて連動する事を特徴とする双眼鏡。
【請求項５】
前記ズーム操作部材は、フォーカス駆動部材が保持されている側の前記ズーム駆動部材に結合されている事を特徴とする請求項１乃至請求項３のいずれかに記載の双眼鏡。
【請求項６】
前記左右のズーム駆動部材の内の一方は、中間ギアを介して前記ズーム操作部材に非一体的に結合されていることを特徴とする請求項１乃至５のいずれかに記載の双眼鏡。
【請求項７】
前記連結部材は板バネ状の弾性部材で形成されることを特徴とする請求項１乃至６
のいずれかに記載の双眼鏡。
【発明の詳細な説明】
【０００１】
【発明の属する技術分野】
本発明は、双眼鏡に関するものであり、更に詳しくは、ズーム操作部材の配置を工夫する事で操作性を向上させたズーム双眼鏡に関するものである。
【０００２】
【従来の技術】
従来より、ズーム双眼鏡において、ズーム操作部材は右側の接眼光学系周りに配置され、右側の接眼光学系の光軸中心に回転操作を行い、ズーミングする構成が主流である。図８は、従来の一般的なズーム双眼鏡の構成を示す図であり、一軸眼幅調整式ポロプリズム双眼鏡の一例を示している。同図（ａ）は平面縦断面図、同図（ｂ）は正面横断面図である。同図において、１は対物光軸、２は対物光学系、３はピントリングである。
【０００３】
対物光学系２は、対物光軸１を中心とする略円筒状の対物レンズ枠４１の先端付近内部に取り付けられている。対物レンズ枠４１は対物光軸１方向に摺動自在に本体フレーム４２と嵌合している。中央のピントリング３が回転軸４０を軸として眼幅調整軸２２周りを手動により回転すると、その回転動作が図示しない駆動軸により直進動作に変換されて対物レンズ枠４１に伝達され、これが本体フレーム４２をガイドとして対物光軸１方向に移動し、フォーカシングされる。
【０００４】
ここで、本例では、中央の眼幅調整軸２２を境にした左右の構成の内、右側を固定側としている。つまり、右側に対して左側が眼幅調整軸２２周りに回動するものであり、さらにはピントリング３が固定側に保持されている。逆に、左側を固定側とする場合は、以下の説明において左右を入れ替えた構成とすればよい。
【０００５】
一方、６は接眼ズーム光学系であり、これは接眼光軸９を中心とする略円筒状の移動レンズ枠５の内部に取り付けられている。移動レンズ枠５は、その外側周囲に設けられた略円筒状のカム部材８と摺動自在に嵌合している。そして、移動レンズ枠５外周より外側に向かって、カムピン４が突出しており、これがカム部材８の図示しないカム溝を貫通して更に外側のガイド部材７に達している。ガイド部材７にはガイド溝１０が設けられており、これにカムピン４が嵌合する事により、移動レンズ枠５が接眼光軸９方向に直進ガイドされる。
【０００６】
尚、対物光学系２と接眼ズーム光学系６との間には、ポロプリズム４３が配置されており、これにより対物光軸１と接眼光軸９とを光学的に連結し、被写体像を正立状態で図示しない観察者の眼に導く事ができる。また、本例ではカム部材８が略円柱状を成しているが、これに限定されるものではなく、例えば板状のカム部材を使用する場合もある。また、以上に説明したズーム双眼鏡内部の構成は、左右同様であるが、図では適宜省略している。
【０００７】
右側のガイド部材７の外側周囲には、これも略円筒状の右ズーム駆動部材１８が設けられている。同図（ｂ）に示すように、この右ズーム駆動部材１８外周より外側に向かって、一つのズーム操作部材１３が突設しており、これを矢印方向に手動操作する事により、右ズーム駆動部材１８が右側の接眼光軸９周りに回転する。さらに、右ズーム駆動部材１８の一端より爪１８ａが突出しており、これが右側のカム部材８と係合する事により、右ズーム駆動部材１８の回転動作が右側のカム部材８に伝達される。
【０００８】
左側のガイド部材７の外側周囲には、これも略円筒状の左ズーム駆動部材２１が設けられている。この左ズーム駆動部材２１は右ズーム駆動部材１８と連動しており、右ズーム駆動部材１８が回転すると、左ズーム駆動部材２１は左側の接眼光軸９周りに同様に回転する。左ズーム駆動部材２１の回転動作が左側のカム部材８に伝達される構成は、右側と同様である。
【０００９】
これらの構成により、左右のカム部材８がそれぞれ左右の接眼光軸９周りに回転し、この回転動作が図示しないカム溝を介してそれぞれ左右のカムピン４に伝達され、左右の移動レンズ枠５が接眼光軸９方向に移動し、ズーミングされる。尚、左右各ズーム駆動部材２１，１８の外側周囲には、カバー４４及び外筒４５が設けられており、外筒４５の後端付近内部には円板状の接眼レンズ枠４６が取り付けられていて、その中央には接眼光軸９を中心として接眼レンズ４７がはめ込まれている。この接眼レンズ４７と接眼ズーム光学系６とで接眼光学系が構成されている。
【００１０】
右ズーム駆動部材１８の回転動作は、細長い板バネ状の弾性部材である連結部材１１により左ズーム駆動部材２１に伝達される。即ち、連結部材１１の両端には、それぞれ係合部１１ａ，１１ｂが設けられており、これらが右ズーム駆動部材１８及び左ズーム駆動部材２１のそれぞれ外周面の一箇所と係合して連結している。このとき、連結部材１１は、必ず眼幅調整軸２２を通るように構成されている。
【００１１】
なぜならば、本例のようなズーム双眼鏡は、左右の接眼光軸９の間隔を観察者の眼の幅に合わせるいわゆる眼幅調整のために、左右のキャビネット４８ひいては左右の接眼光学系を、眼幅調整軸２２周りに回動可能に結合しているので、その回動時に連結部材１１が眼幅調整軸２２から外れた位置を通っていると、右ズーム駆動部材１８と左ズーム駆動部材２１の回転位置関係が変化してしまうからである。尚、ここでは図示しないが、観察者の左右の眼の視度を調整するための視度調整機構が、左右いずれかの接眼光学系に設けられている。以上が従来の一般的なズーム双眼鏡の構成の一例である。
【００１２】
【発明が解決しようとする課題】
しかしながら、上記のような構成では、ズーム操作部材１３がカム部材８とほぼ一体的に回転するようになっているため、ズーム操作部材１３が接眼光軸９周りに回転するように構成しなければならず、配置の自由度が少なくてズーム操作もしづらいという問題があった。そこで、特開平９−１８９８３８号公報に記載されている如く、操作部材を中央に配置して、これにより左右のカム部材を連結する部材を直接駆動してズーミングを行う構成のものが提案されている。
【００１３】
これは、図９に示すように、ハウジング１５に左右の鏡筒１６，１７が組み込まれた、３つのユニットで構成されている二軸眼幅調整式ポロプリズム双眼鏡となっている。ここでは、ズーム操作部材１４が装置（本例の双眼鏡）の中央に配置され、ズーム機構３５がハウジング１５内に配置されている。そして、ズーム操作部材１４を矢印方向に操作する事により、ズーム機構３５が左右に移動し、これにより連結部材１１が左右に駆動されて、右ズーム駆動部材１８及び左ズーム駆動部材２１が連動して回転する。ここで、カムピン４，移動レンズ枠５，ガイド部材７，カム部材８，接眼光軸９，カバー４４等の配置関係は、図８に示したものと同様である。
【００１４】
ところが、本例のように、ズーム操作部材１４が右ズーム駆動部材１８ではなく連結部材１１を、ズーム機構３５を介して直接駆動する場合は、ズーム操作部材１４を中央に配置すると、一軸眼幅調整式にしようとしても、連結部材１１が眼幅調整軸を通るように構成する事ができなくなる。それゆえ、同図のような二軸眼幅調整式、即ち眼幅調整用の回転軸（不図示）が左右に２つあるような構成としなければならず、３つのユニット構成となって、ハウジング１５の分だけ双眼鏡が大型化するという問題がある。
【００１５】
本発明は、これらの問題点に鑑み、ズーム操作部材が操作しやすい位置に配置されていて、しかも小型のズーム双眼鏡を提供する事を目的とする。
【００１６】
【課題を解決するための手段】
上記目的を達成するため、請求項１に記載された本発明の構成は、左右の光学系と、ズーム操作部材と、互いに連結され前記左右の光学系それぞれの光軸周りに回転可能な左右それぞれのズーム駆動部材と、を有し、前記ズーム操作部材が前記光軸周りから離れた位置において可動に設置され、その左右のズーム駆動部材の内の一方が前記ズーム操作部材に非一体的に結合されて連動するとともに、この左右のズーム駆動部材の内の他方が前記一方のズーム駆動部材から連結部材を介して結合されて連動する事を特徴としている。また請求項２又は３に記載されたように、上記構成に加えて次のように構成することができる。前記連結部材が眼幅調整軸上を通るように配置されている。また、前記ズーム操作部材が眼幅調整軸上に配置されている。
【００１７】
また、請求項４に記載された本発明の構成は、一軸の眼幅調整軸によって眼幅の調整がなされる左右の光学系と、眼幅調整軸周りに配置されたズーム操作部材と、互いに連結された左右のズーム駆動部材と、を有し、前記左右のズーム駆動部材の内の一方が前記ズーム操作部材に非一体的に結合されて連動するとともに、この左右のズーム駆動部材の内の他方が前記一方のズーム駆動部材から眼幅調整軸上を通る連結部材を介して結合されて連動する事を特徴としている。さらに請求項５又は６、７に記載されたように、上記構成に加えて次のように構成することができる。前記ズーム操作部材はフォーカス駆動部材が保持されている側の前記ズーム駆動部材に結合されている。また、前記左右のズーム駆動部材の内の一方が中間ギアを介して前記ズーム操作部材に非一体的に結合されている。また、前記連結部材は板バネ状の弾性部材で形成される。
【００１８】
【発明の実施の形態】
以下、本発明の実施の形態について、図面を参照しながら説明する。図１は、本発明のズーム双眼鏡の第１の実施形態の構成を示す図であり、一軸眼幅調整式ポロプリズム双眼鏡の一例を示している。同図（ａ）は平面縦断面図、同図（ｂ）は正面横断面図である。同図に示すように、本実施形態は、ズーム双眼鏡としての基本的な構成は上記図８で示した従来例と同様となっている。そして、ここでも右側を固定側としている。但し、上記従来のズーム操作部材１３は削除されており、その代わり眼幅調整軸２２上にズーム操作部材２０が設けられている。
【００１９】
ズーム操作部材２０の円板状部２０ａの外周にはギア加工が施されており、右ズーム駆動部材１８の外周にも同様のギア加工が施されていて、これらの間には各ギア加工部分と噛み合って連結する中間ギア１９が配置されている。つまり、ズーム操作部材２０と右ズーム駆動部材１８とは、非一体的に結合されている。動作としては、ズーム操作部材２０を矢印方向に眼幅調整軸２２周りに手動により回転させると、中間ギア１９を介して右ズーム駆動部材１８が回転し、同時に連結部材１１を介して左ズーム駆動部材２１が回転する。
【００２０】
これらの構成により、左右のカム部材８がそれぞれ左右の接眼光軸９周りに回転し、この回転動作が図示しないカム溝を介してそれぞれ左右のカムピン４に伝達され、左右の移動レンズ枠５が接眼光軸９方向に移動し、ズーミングされる。尚、ここでは中間ギア１９を配置しているが、スペースに余裕があればズーム操作部材２０と右ズーム駆動部材１８とを直接噛み合わせても良い。本実施形態のように、ズーム操作部材２０が装置（本実施形態の双眼鏡）中央に配置される事により、左右どちらの手でも操作する事ができ、また装置を保持した状態で自然に操作する事ができるので、操作性が良い。
【００２１】
図２は、本発明のズーム双眼鏡の第２の実施形態の構成を示す正面横断面図である。同図に示すように、本実施形態では、図１で示したズーム操作部材２０の代わりに、装置中央より右側上部にズーム操作部材２４を配置し、これと同軸で一体回転するギア２３を中間ギア１９に噛み合わせた構成となっている。ズーム操作部材２４の外周にはローレット加工が施されており、手動操作時の滑り止めとしている。動作としては、ズーム操作部材２４を矢印方向に手動により回転させると、ギア２３が回転し、中間ギア１９を介して右ズーム駆動部材１８が回転する。以下、第１の実施形態と同様である。
【００２２】
図３は、本発明のズーム双眼鏡の第３の実施形態の構成を示す正面横断面図である。同図に示すように、本実施形態では、上記中間ギア１９を削除し、装置中央より右側下部にズーム操作部材２６を配置し、これと同軸で一体回転するギア２５を右ズーム駆動部材１８に直接噛み合わせた構成となっている。ズーム操作部材２６の外周にはローレット加工が施されており、手動操作時の滑り止めとしている。動作としては、ズーム操作部材２６を矢印方向に手動により回転させると、ギア２５が回転し、更に右ズーム駆動部材１８が回転する。以下、第１の実施形態と同様である。
【００２３】
図４は、本発明のズーム双眼鏡の第４の実施形態の構成を示す正面横断面図である。同図に示すように、本実施形態では、図１で示したズーム操作部材２０の代わりに、装置中央より右側上部にスライド式のズーム操作部材２７を配置し、これにギア加工を施してラックとし、ピニオンに相当する中間ギア１９に噛み合わせた構成となっている。動作としては、ズーム操作部材２７を矢印方向に手動によりスライドさせると、中間ギア１９を介して右ズーム駆動部材１８が回転する。以下、第１の実施形態と同様である。以上の第２〜第４の実施形態のように、ズーム操作部材を中央より右上或いは右下に配置する事により、操作は右手に限定されるが、より操作性の良い構成とする事ができる。
【００２４】
図５は、本発明のズーム双眼鏡の第５の実施形態の構成を示す正面横断面図である。同図に示すように、本実施形態では、眼幅調整軸２２上にズーム操作部材２９を設けている。そして、ズーム操作部材２９の外周より外側へと、レバー２８が一本突設している。また、その先端にはピン３０が設けられている。一方、右ズーム駆動部材１８の外周より外側へと、レバー３１が一本突設している。また、そこにはその長手方向に沿って長孔３１ａが設けられており、これに前記ピン３０が嵌合している。
【００２５】
動作としては、ズーム操作部材２９を矢印方向に手動により回転させると、レバー２８が回転してピン３０が長孔３１ａ内を摺動し、これにより回転動作がレバー３１から右ズーム駆動部材１８に伝達され、右ズーム駆動部材１８が回転する。以下、第１の実施形態と同様である。
【００２６】
図６は、本発明のズーム双眼鏡の第６の実施形態の構成を示す正面横断面図である。同図に示すように、本実施形態では、眼幅調整軸２２上にズーム操作部材３２を設け、これをベルト３４により右ズーム駆動部材１８と連結している。このとき、図示したようにベルト３４をタイミングベルトとし、ズーム操作部材３２の円板状部３２ａ及び右ズーム駆動部材１８にタイミングプーリーの機能を持たせる事により、より確実な回転伝達を行わせる事ができる。
【００２７】
尚、３３はテンションローラーである。動作としては、ズーム操作部材３２を矢印方向に眼幅調整軸２２周りに手動により回転させると、ベルト３４を介して右ズーム駆動部材１８が回転する。以下、第１の実施形態と同様である。以上の第５，第６の実施形態の構成により、バックラッシュの無いスムーズな回転伝達を行う事ができる。
【００２８】
図７は、本発明のズーム双眼鏡の第７の実施形態の構成を示す正面横断面図である。同図に示すように、本実施形態は、大型ポロプリズムを有するいわゆるスタンダードタイプのズーム双眼鏡に上記第６の実施形態の構成を用いた例である。同図のキャビネット４９には図示しない対物光学系が収められている。ここでは、眼幅調整軸２２上にズーム操作部材３６を設け、これをベルト３４により右ズーム駆動部材１８と連結している。
【００２９】
このとき、図示したようにベルト３４をタイミングベルトとし、ズーム操作部材３６の円板状部３６ａ及び右ズーム駆動部材１８にタイミングプーリーの機能を持たせる事により、より確実な回転伝達を行わせる事ができる。尚、これまで述べてきた全ての実施形態においては、装置の右側を固定側として説明したが、これは勿論左側としても良く、その場合は左右を入れ替えた構成とすれば良い。また、これまで説明したように、本発明では、ズーム操作部材に左右いずれかのズーム駆動部材が非一体的に結合して連動する構成となっている。
【００３０】
尚、請求項５で言うフォーカス駆動部材は、実施形態におけるピントリング３を基礎とするものである。
【００３１】
【発明の効果】
以上説明したように、本発明によれば、ズーム操作部材が操作しやすい位置に配置されていて、しかも小型のズーム双眼鏡を提供する事ができる。
【００３２】
また、各請求項に記載の本発明によるならば、ズーム操作部材を自由な位置に配置する事ができる。
【００３３】
また、請求項２、４に記載の本発明によるならば、眼幅調整を行ってもズーミングに影響を与える事がなくなる。
【００３４】
また、請求項３、４に記載の本発明によるならば、左右どちらの手によってもズーム操作を行う事ができる。
【００３５】
また、各請求項に記載の本発明によるならば、全体的に小型化する事ができる。
【図面の簡単な説明】
【図１】本発明のズーム双眼鏡の第１の実施形態の構成を示す図。
【図２】本発明のズーム双眼鏡の第２の実施形態の構成を示す図。
【図３】本発明のズーム双眼鏡の第３の実施形態の構成を示す図。
【図４】本発明のズーム双眼鏡の第４の実施形態の構成を示す図。
【図５】本発明のズーム双眼鏡の第５の実施形態の構成を示す図。
【図６】本発明のズーム双眼鏡の第６の実施形態の構成を示す図。
【図７】本発明のズーム双眼鏡の第７の実施形態の構成を示す図。
【図８】従来の一般的なズーム双眼鏡の構成を示す図。
【図９】操作部材を中央に配置した従来のズーム双眼鏡の構成を示す図。
【符号の説明】
１    対物光軸
２    対物光学系
３    ピントリング
４    カムピン
５    移動レンズ枠
６    接眼ズーム光学系
７    ガイド部材
８    カム部材
９    接眼光軸
１０    ガイド溝
１１    連結部材
１８    右ズーム駆動部材
１９    中間ギア
２０，２４，２６，２７，２９，３２，３６    ズーム操作部材
２１    左ズーム駆動部材
２２    眼幅調整軸
２３，２５    ギア
２８，３１    レバー
３０    ピン
３３    テンションローラー
３４    ベルト
４０    回転軸
４１    対物レンズ枠
４２    本体フレーム
４３    ポロプリズム
４４    カバー
４５    外筒
４６    接眼レンズ枠
４７    接眼レンズ
４８，４９    キャビネット
【図１】
0003791218.tif 000002
【図２】
0003791218.tif 000003
【図３】
0003791218.tif 000004
【図４】
0003791218.tif 000005
【図５】
0003791218.tif 000006
【図６】
0003791218.tif 000007
【図７】
0003791218.tif 000008
【図８】
0003791218.tif 000009
【図９】
0003791218.tif 000010